(57)【要約】【課題】バックライト装置の導光板６の厚みが薄くなってくると、導光板６の先端部分にまで届く光量が極めて少なくなってしまうために、特に先端部分で輝度低下が著しく、それが導光板全体の輝度ムラとなって現れる。【解決手段】光源としてのＬＥＤ２５と、このＬＥＤ２５で発した光を導く導光板２６と、この導光板２６の上下面に配置された拡散シート２８，２９と、前記下部拡散シート２９の下面に配置された反射シート３０とを備え、前記導光板２６によって液晶表示パネル２３を照射する液晶表示装置２１のバックライト装置２４において、前記拡散シート２８，２９及び反射シート３０を導光板２６の先端部の端面３１側にも配置し、特に前記拡散シートは上部拡散シート２８、下部拡散シート２９及び先端部拡散シート３２を一体に形成した。【選択図】        図１
2004233764.tif 000002
【特許請求の範囲】
【請求項１】
光源と、この光源で発した光を導く導光板と、この導光板の上下面に配置された拡散シートと、前記下部拡散シートの下面に配置された反射シートとを備え、前記導光板によって液晶表示パネルを照射する液晶表示装置のバックライト装置において、
前記拡散シート及び反射シートを導光板の先端部の端面にも配置したことを特徴とする液晶表示装置のバックライト装置。
【請求項２】
前記拡散シートが上部拡散シート、下部拡散シート及び先端部拡散シートからなり、これらが一体に形成されてなる請求項１記載の液晶表示装置のバックライト装置。
【発明の詳細な説明】
【０００１】
【発明の属する技術分野】
本発明は、携帯型電話や電子手帳などの液晶表示装置に使用されるバックライト装置に関するものである。
【０００２】
【従来の技術】
本願出願人は、この種のバックライト装置として、特願２００２―２７６４４２号を提案している。図４はバックライト装置４を備えた液晶表示装置１の断面構造を示したものであり、枠体２の上部に液晶表示パネル３を、その下部に前記のバックライト装置４を配置した構造である。このバックライト装置４は、光源であるＬＥＤ５と、このＬＥＤ５で発した光を液晶表示パネル３の裏面側に導くための導光板６と、この導光板６の上下面に配置された一対の拡散シート８，９と、前記下部拡散シート９の下面に配置された反射シート１０とを備えた構造である。前記導光板６は、透明なアクリル板又はポロカーボネイト板によって形成されており、その一端にはＬＥＤ５の上方にまで延びる受光部７を有している。この受光部７は上面が斜めにカットされた反射面７ａを有すると共に、ＬＥＤ５と向かい合う受光部７の下面には平面状の受光面７ｂを有する形状である。なお、前記ＬＥＤ５は各種のＩＣや電子部品が実装される回路基板１１の先端部に実装されている。
【０００３】
前記ＬＥＤ５から受光面７ｂに向かって放射された光は、受光面７ｂから受光部７に入射したのち、反射面７ａによって前方側に反射され、そのまま導光板６内を進みながら、上方に配置された液晶表示パネル３を背面側から照射する。そして、導光板６内を光が進むときに前記導光板６の上下面に配置された拡散シート８，９及び下部拡散シート９の下面に配置された反射シート１０によって光の拡散や反射が繰り返され、導光板全体の輝度が高められると共に輝度ムラが抑えられる。
【０００４】
【発明が解決しようとする課題】
ところで、上述したバックライト装置４では、導光板６の上下に配置した拡散シート８，９や反射シート１０によって、導光板６の輝度を高めると共に輝度ムラを抑える効果を持たせているが、導光板６の厚みがさらに薄くなってくると、導光板６の先端部分にまで届く光量が極めて少なくなってしまうために、特に先端部分で輝度低下が著しく、それが導光板全体の輝度ムラとなって現れるといった問題があった。
【０００５】
そこで、本発明の目的は、薄型の導光板を使用した場合でも導光板の先端部分での輝度低下を防ぐことによって輝度ムラのないバックライトを実現することのできる液晶表示パネルのバックライト装置を提供するものである。
【０００６】
【課題を解決するための手段】
上記課題を解決するために、本発明の請求項１に係る液晶表示パネルのバックライト装置は、光源と、この光源で発した光を導く導光板と、この導光板の上下面に配置された拡散シートと、前記下部拡散シートの下面に配置された反射シートとを備え、前記導光板によって液晶表示パネルを照射する液晶表示装置のバックライト装置において、前記拡散シート及び反射シートを導光板の先端部の端面にも配置したことを特徴とする。
【０００７】
この発明によれば、導光板の先端部の端面に配置された拡散シート及び反射シートの作用によって、導光板の先端部分に届く光が僅かなものであっても、先端部分での輝度アップが図られることになり、導光板全体の輝度ムラが抑えられる。
【０００８】
前記拡散シートは、導光板の先端部の端面を包み込むようにして上下面に配置されることから、これらを一枚のシートで形成することもできる。導光板の厚みが非常に薄いことから、導光板の先端部分に配置される拡散シートを導光板の上下面に配置される拡散シートと一体化することで、その取扱いが非常に簡便となる他、先端部の端面を確実に被覆することができる。
【０００９】
【発明の実施の形態】
以下、添付図面に基づいて本発明に係る液晶表示パネルのバックライト装置を詳細に説明する。
【００１０】
図１は、本発明に係るバックライト装置２４を組み込んだ液晶表示装置２１を示したものである。このバックライト装置２４は、基本的には従来のバックライト装置１と同様、枠体２２の上部に保持された液晶表示パネル２３の下部に配設された構造である。即ち、光源であるＬＥＤ２５と、このＬＥＤ２５で発した光を液晶表示パネル２３の裏面側に導くための導光板２６と、この導光板２６の上面及び下面に配置された拡散シート２８，２９と、下部拡散シート２９の下面に配置された反射シート３０とを備える。前記導光板２６は、透明なアクリル板によって形成されており、その一端にはＬＥＤ２５の上方にまで延びる受光部２７が形成される。そして、この受光部２７は、斜めにカットされた上面の反射面２２７ａと、ＬＥＤ２５の発光面と向かい合う受光面２７ｂとを有している。
【００１１】
一方、この実施形態に係るバックライト装置２４は、従来とは異なって、導光板２６の先端部の端面３１を覆うようにして拡散シートと反射シートが配置されている。この実施形態では、図２及び図３に示したように、導光板２６の上面に配置される上部拡散シート２８、導光板２６の下面に配置される下部拡散シート２９及び導光板２６の端面３１に配置される先端部拡散シート３２が一枚の拡散シート部材３３によって一体に形成されている。そして、この拡散シート部材３３には導光板２６の端面３１の上下角部３４ａ，３４ｂに対応する部分に谷折れ側の筋目３５ａ，３５ｂが設けられている。したがって、導光板２６の表面に拡散シート部材３３を配置する場合には、端面３１の上下角部３４ａ，３４ｂに筋目３５ａ，３５ｂを位置合わせしたのち、導光板２６の上下面に沿って被せるだけで簡単に装着できる他、導光板２６の薄い端面３１にも隙間なくピッタリと装着されることになる。
【００１２】
なお、上記の拡散シート部材３３は、透明なポリエステルフィルムの表面に微細な凹凸部を設けたものであり、例えば大小様々なビーズをフィルム表面にコーティングすることで凹凸部が形成される。
【００１３】
また、この実施形態に係るバックライト装置２４では、導光板２６の下面側に配置されていた反射シート３０の先端部分を延ばし、その先端部反射シート３６を導光板２６の端面３１側に起こして、先端部拡散シート３２の外側面に接するように配置する。この場合にも導光板２６の下面側に配置される反射シート３０と、先端側の配置される先端部反射シート３６とを一体に形成すると共に、先端部反射シート３６の屈曲部分に谷折れ側の筋目３７を設けておくことで、所定位置への装着が容易に行われると共に、先端部拡散シート３２の外側面に先端部反射シート３６を隙間なくピッタリと装着することができる。
【００１４】
なお、上記の反射シート３０及び先端部反射シート３６は、高反射率を有する銀やアルミニウム等をシート表面に蒸着することで形成される。
【００１５】
したがって、バックライト装置２４が上記のように構成されることで、図２に示したように、ＬＥＤ２５から発した光は導光板２６の受光面２７ｂから受光部２７内に入射し、受光部２７の反射面２７ａで反射する。そして、この反射光は導光板２６内を前方に反射を繰り返しながら進み、下面側の反射シート３０によって上方に効率よく反射する。反射シート３０で反射された光は、上下の拡散シート２８，２９によって均一に拡散するため、導光板２６全体の輝度が高められることになる。一方、特に導光板２６が薄い場合には導光板２６の先端部分にまで届く光の量は少なくなるが、先端部の端面３１に配置された先端部拡散シート３２と先端部反射シート３６の作用で先端部分でも光の反射や拡散が繰り返されることになるために、導光板２６の先端部分での輝度も同時に高められることになる。
【００１６】
【発明の効果】
以上説明したように、本発明に係る液晶表示パネルのバックライト装置によれば、導光板の上下面に配置された拡散シートと、前記下部拡散シートの下面に配置された反射シートとを導光板の先端部の端面にも配置したので、導光板の先端部分に届く光が僅かなものであっても反射光や拡散光が得られることとなり、導光板の先端部分での輝度アップが図られることで導光板全体の輝度ムラが抑えられる。そのため、バックライト装置の薄型化に対応して導光板を薄くした場合においても輝度の向上及び輝度ムラの改善効果が得られる。
【００１７】
また、導光板の上下面および先端部の端面に配置される拡散シートを一枚の拡散シート部材によって形成した場合には、導光板に装着する際の取扱いが非常に簡便となる他、先端部の端面を確実に被覆することができ、特に導光板が薄い場合にその効果が大きい。
【図面の簡単な説明】
【図１】本発明のバックライト装置の構造を示す断面図である。
【図２】導光板の先端部分の構造を示す拡大断面図である。
【図３】一体に形成された拡散シート部材の斜視図である。
【図４】従来のバックライト装置の構造を示す断面図である。
【符号の説明】
２１  液晶表示装置
２３  液晶表示パネル
２４  バックライト装置
２５  ＬＥＤ（光源）
２６  導光板
２８  上部拡散シート
２９  下拡散部シート
３０  反射シート
３１  端面
３２  先端部拡散シート
３３  拡散シート部材
３６  先端部反射シート
【図１】
2004233764.tif 000003
【図２】
2004233764.tif 000004
【図３】
2004233764.tif 000005
【図４】
2004233764.tif 000006